(57)【要約】      （修正有）【課題】消臭スプレイ、固形着色消毒薬、芳香剤入り容器の三種類のトイレ用衛生用品を１つのケースに収納するようにした収納ケースを提供する。【解決手段】水洗タンクから手洗い用の水が供給される給水ノズルと、この水を水洗タンク内に導入する給水口間に載置され、消臭スプレイ２１、固形着色消毒薬２２、芳香剤入り容器の三種類のトイレ用衛生用品を、左側、中央、右側に三区分したそれぞれの区画に収納する様にしてトイレ用衛生用品収納ケースを構成する。【選択図】図１
0003163251.tif 000002
【実用新案登録請求の範囲】
【請求項１】
水洗タンクから手洗い用の水が供給される給水ノズルと、この水を水洗タンク内に導入する給水口間に載置され、消臭スプレイ、固形着色消毒薬、芳香剤入り容器の三種類のトイレ用衛生用品を、左側、中央、右側に三区分したそれぞれの区画に収納するケースであって、
消臭スプレイを収納する区画には、前記消臭スプレイのキャップを押圧して消臭液を噴霧する手段を設け、固形着色消毒薬を収納する中央区画には、回動自在の蓋に前記給水ノズルから流出する水の導入部を設けると共に、中央区画の底面には着色消毒液を前記給水口に排出する排出部を設けることを特徴とする、トイレ用衛生用品収納ケース。
【請求項２】
前記消臭スプレイを収納する区画には、複数の支柱を立設して横棒を架け渡し、当該横棒にプッシュボタンの取付板を回動自在に設け、前記プッシュボタンを加圧することにより前記消臭スプレイのキャップを押圧して消臭液を噴霧することを特徴とする、請求項１に記載のトイレ用衛生用品収納ケース。
【考案の詳細な説明】
【技術分野】
【０００１】
本考案は、消臭スプレイ、着色消毒薬、芳香剤入り容器のトイレ用衛生用品を収納するトイレ用衛生用品収納ケースに関するものである。
【背景技術】
【０００２】
近年の衛生に対する関心の高まりを反映して、水洗トイレにおいて、消臭スプレイや芳香材入り容器を床面などに設置することや、水洗タンクの上面に有色消毒液が封入されている小さなケースを設置して、消毒液が混入された水を水洗タンク内に導入することなどが行われている。
【０００３】
特許文献１には、水洗タンクの側面に消臭剤、芳香剤などが封入されたエアゾル缶を取り付けて、レバー操作と連動させてエアゾル缶の内容物を噴霧させることが記載されている。
【先行技術文献】
【特許文献】
【０００４】
【特許文献１】特開２００６−２４１９０３号公報
【考案の概要】
【考案が解決しようとする課題】
【０００５】
特許文献１に記載のものは、単一のエアゾル缶を取り付けるものであり、消臭剤と芳香剤を併用する場合には、一方を床面などに設置しなけらばならず、そのためのスペースが必要となり、便器周りがせまくなるという問題がある。また、レバー機構と噴霧機構とを連動させるので機構が複雑になり、コストがたかくなるという問題がある。本考案は、このような問題の解決を図るものであり、簡易な構成のトイレ用衛生用品収納ケースの提供を目的とする。
【課題を解決するための手段】
【０００６】
本考案のトイレ用衛生用品収納ケースは、水洗タンクから手洗い用の水が供給される給水ノズルと、この水を水洗タンク内に導入する給水口間に載置され、消臭スプレイ、固形着色消毒薬、芳香剤入り容器の三種類のトイレ用衛生用品を、左側、中央、右側に三区分したそれぞれの区画に収納するケースであって、消臭スプレイを収納する区画には、前記消臭スプレイのキャップを押圧する手段を設け、固形着色消毒薬を収納する中央区画には、回動自在の蓋に前記給水ノズルから流出する水の導入部を設けると共に、中央区画の底面には着色消毒液を前記給水口に排出する排出部を設けることを特徴とする。
【考案の効果】
【０００７】
本考案のトイレ用衛生用品収納ケースは、消臭スプレイと芳香剤入り容器を、固形着色消毒薬と共に同一のケースに収納することにより、トイレ内のこれらの衛生用品の収納スペースを低減し、一括整理することができるという利点がある。
【図面の簡単な説明】
【０００８】
【図１】図１は衛生用品を収納した状態を示す斜視図である。
【図２】図２は衛生用品を除去した状態を示す斜視図である。
【図３】図３は中央区画の蓋を開いた状態を示す斜視図である。
【図４】図４は中央区画の蓋を除去した状態を示す平面図である。
【図５】図５は一般的な水洗トイレの例を示す概略の斜視図である。
【考案を実施するための形態】
【０００９】
図５は、一般的な水洗トイレの例を示す概略の斜視図である。この水洗トイレ５０は、水洗タンク５１、便器５２、水洗タンク５１の側面に設けたレバー５３、給水ノズル５４、水洗タンク５１の上面５１ａに形成された給水口５５からなる。
【００１０】
レバー５３は矢印Ｒａ方向に回動し、一方方向、例えば手前側に引くと給水ノズル５４から洗浄水が出て手洗いを済ませた後に、この先浄水は給水口５５から水洗タンク５１内に流入し、便器５２に排出される。このような水洗トイレ５０には、着色消毒液を封入したプラスチックの小さな容器を給水口５５に
立てている場合もある。
【００１１】
図２は、衛生用品を除去した状態のトイレ用衛生用品収納ケースを示す斜視図である。トイレ用衛生用品収納ケース１は、図示左側の区画２、中央の区画３、右側の区画４に３区分されている。左側の区画２には、後部側に２本の支柱５、５を立設し、支柱５、５の上方には横棒６を架け渡す。横棒６の中央付近には、回動部８により矢印Ｒｂ方向に回動自在に取付板７を設ける。取付板７には、プッシュボタン９が固定されている。プッシュボタン９は、図１で説明するように消臭スプレイのキャップを押圧して、消臭液を噴霧する。
【００１２】
中央の区画３には、固形着色消毒薬を配置する。矢印Ｒｃ方向に回動する蓋１１で中央の区画３を覆う。蓋１１には、給水ノズル５４から流出する水を中央の区画３に導く導入部１２を４個所に設けている。１４は、中央の区画３の底面に４個所設けている固形着色消毒薬の固定部で、１５は、固形着色消毒薬の載置部である。載置部１５には、図示を省略しているが導入された水の排出部が形成されている。左側の区画２と中央の区画３間には、隔壁１６が設けられており、中央の区画３と右側の区画４には、隔壁１７が設けられている。
【００１３】
図３は、中央の区画３を取り出して部分的に示す斜視図、図４は蓋を除去した状態の平面図である。蓋１１は、取り付け棒１８によりケース本体に配置される。蓋１１は、取り付け棒１８と蝶番などにより回動自在にとりつけられており、通常の使用状態では蓋１１は閉じられており、固形着色消毒薬の交換時や清掃の際などには蓋１１をケース本体から開放する。
【００１４】
図１は、衛生用品を収納した状態のトイレ用衛生用品収納ケースを示す斜視図である。２１は消臭スプレイ、２２は固形着色消毒薬、２３は芳香剤入り容器である。２１ａは消臭スプレイ２１の上部に設けられているキャップである。使用者が取付板７を回動して、プッシュボタン９をキャップ２１ａ上に載置し、取付板７を加圧すると、プッシュボタン９がキャップ２１ａを押圧し、消臭液を噴霧する。
【００１５】
本考案のトイレ用衛生用品収納ケース１は、前記水洗タンク５１上面５１ａの、給水ノズル５４と給水口５５間に載置される。当該ケース１の底面は、水洗タンク５１上面に形成されている曲面と類似した曲面で形成され、当該ケース１を水洗タンク５１上面に安定して載置できるようにする。本考案のトイレ用衛生用品収納ケース１は、例えばプラスチックの成形により製造される。消臭スプレイ２１と芳香剤入り容器２３は、左右の位置を入れ替えて左側の区画、右側の区画のいずれの区画に収納しても良い。
【００１６】
このように、本考案のトイレ用衛生品収納ケース１は、これまで床面やトイレ内の棚などに設置されていた消臭スプレイ２１と芳香剤入り容器２３を、固形着色消毒薬２２と共に同一のケースに収納し、トイレ内のこれらの衛生品の収納スペースを低減し、一括整理
するものである。
【符号の説明】
【００１７】
１・・トイレ用衛生用品収納ケース、２・・左側の区画、３・・中央の区画、
３・・右側の区画、５・・支柱、６・・横棒、７・・取付板、８・・横棒、９・・プッシュボタン、１１・・蓋、１２・・導入部、１３・・排出部、１４固定部、
１５・・載置部、１６、１７・・隔壁、１８取付棒、２１・・消臭スプレイ、２２・・固形着色消毒薬、２３芳香剤入り容器、５１・・水洗タンク、５２・・便器、５３・・レバー、５４・・給水ノズル、５５給水口
【図１】
0003163251.tif 000003
【図２】
0003163251.tif 000004
【図３】
0003163251.tif 000005
【図４】
0003163251.tif 000006
【図５】
0003163251.tif 000007